(57)【要約】【課題】表示されるログの内容について、ユーザーが着目する項目を容易に見つけることができるログ表示システムを提供する。【解決手段】ログ表示システムは、「Ｅｒｒｏｒ」の文字が含まれている項目があると判断すれば（Ｓ３２において、ＹＥＳ）、「Ｅｒｒｏｒ」の文字が含まれている項目が表示の先頭となるようログの表示を構成する（Ｓ３３）。次に、検索キーワードの先頭表示設定がオンを選択されていれば（Ｓ３４において、ＮＯ）、検索キーワードの検索の回数が設定値以上か否かを判断する（Ｓ３６）。「Ｐｒｉｎｔ」の文字が１０回以上検索されていると判断すれば（Ｓ３６において、ＹＥＳ）、検索されたキーワードを含む項目が先頭となるようにログを構成する（Ｓ３７）。その後、このログをディスプレイ２９ａに表示する（Ｓ３５）。【選択図】図８
2016071631.tif 000002
【特許請求の範囲】
【請求項１】
所定の装置にて実行される機能のログを表示するログ表示システムであって、
前記所定の装置から取得した複数の項目から構成される前記ログを表示するログ表示手段と、
前記複数の項目の中からユーザーの着目する項目を設定させる設定手段と、
前記設定手段により設定された項目を、前記設定手段により設定されていない項目に対して際立たせるよう前記ログ表示手段を制御する制御手段とを備える、ログ表示システム。
【請求項２】
前記制御手段は、前記設定手段により設定された項目を、前記設定手段により設定されていない項目よりも表示の順序が先になるよう前記ログ表示手段を制御する、請求項１に記載のログ表示システム。
【請求項３】
キーワードを入力させるキーワード入力手段と、
前記ログの中から前記キーワード入力手段によって入力されたキーワードを検索する検索手段と、
前記検索手段により検索されたキーワードの数をカウントするキーワード数カウント手段とを含み、
前記設定手段は、前記キーワード数カウント手段によりカウントしたキーワードの数が所定の数以上であれば、前記キーワードを含む項目をユーザーの着目する項目として設定する、請求項１または２に記載のログ表示システム。
【請求項４】
前記制御手段は、前記キーワード数カウント手段によりカウントしたキーワードの数が多い順から先に表示されるよう前記ログ表示手段を制御する、請求項３に記載のログ表示システム。
【請求項５】
前記ログ表示手段によりログを表示する表示先を入力させるログ表示先入力手段を含む、請求項１〜４のいずれかに記載のログ表示システム。
【請求項６】
前記制御手段は、文字の色、文字の大きさ、文字のフォント、および文字の修飾のうちの少なくともいずれかを、前記設定手段により設定されていない項目に対して変更して、前記設定手段により設定された項目を表示するよう制御する、請求項１〜５のいずれかに記載のログ表示システム。
【請求項７】
所定の装置にて実行される機能のログを表示するログ表示装置であって、
前記所定の装置からログを取得する取得手段と、
前記所定の装置から取得した複数の項目から構成される前記ログを表示するログ表示手段と、
前記複数の項目の中からユーザーの着目する項目を設定させる設定手段と、
前記設定手段により設定された項目を、前記設定手段により設定されていない項目に対して際立たせるよう前記ログ表示手段を制御する制御手段とを備える、ログ表示装置。
【請求項８】
画像処理に関するログを取得可能な画像処理装置であって、
複数の項目から構成される前記ログを表示するログ表示手段と、
前記複数の項目の中からユーザーの着目する項目を設定させる設定手段と、
前記設定手段により設定された項目を、前記設定手段により設定されていない項目に対して際立たせるよう前記ログ表示手段を制御する制御手段とを備える、画像処理装置。
【発明の詳細な説明】
【技術分野】
【０００１】
この発明は、ログ表示システム、ログ表示装置、および画像処理装置に関するものである。
【背景技術】
【０００２】
デジタル複合機等に代表される画像処理装置には、定期的に使用状況等のレポート、すなわち、いわゆるログを印刷して出力する機構を備えるものがある。使用状況のレポートの出力に関する技術が、特開２００７−１０６０６４号公報（特許文献１）、および特開２０１０−５０８８９号公報（特許文献２）に開示されている。
【０００３】
特許文献１によると、画像形成装置は、レポート出力対象の状態値を記憶する状態データ記憶手段と、レポートに出力するべき状態値の項目を記憶するレポート項目記憶手段と、レポート項目記憶手段に記憶されている状態値の項目をレポート出力する場合の出力レイアウトデータを記憶するレポートレイアウト記憶手段と、出力するべきレポートの出力方法を記憶するレポート方法記憶手段と、予め決められたレポート出力条件を満たしたか否かを判定する判定手段と、判定手段において、レポート出力条件を満たしたと判定された場合に、レポート項目記憶手段に記憶されている項目の状態値を状態データ記憶手段から読み出すとともに、レポートレイアウト記憶手段に記憶されている出力レイアウトデータに基づいて、読み出した状態値をレイアウトして出力するべきレポートのレポートデータを作成するレポート作成手段と、レポート方法記憶手段に記憶された出力方法に基づいて、レポートデータを出力する出力手段とを備えることを特徴としている。
【０００４】
また、特許文献２によると、レポートの出力先として選択可能な出力手段を複数備えた通信装置において、レポートとして出力する項目と、複数の出力手段に個別に出力項目設定として設定可能であり、レポートの出力先として選択された各出力手段において、それぞれの出力項目設定に基づいてレポートを出力することを特徴としている。
【先行技術文献】
【特許文献】
【０００５】
【特許文献１】特開２００７−１０６０６４号公報
【特許文献２】特開２０１０−５０８８９号公報
【発明の概要】
【発明が解決しようとする課題】
【０００６】
特許文献１に開示の技術によると、管理者が選択したレポートに出力するべき項目について、管理者が指定した出力レイアウトで出力することとしている。また、特許文献２に開示の技術によると、レポート出力項目を出力先ごとに設定できるとの記載がある。しかし、これら特許文献１および特許文献２に開示の技術では、ユーザーが着目する項目が見やすい出力となっているとは限らず、例えば、出力結果の中からユーザーが着目する項目を見つけるまで多くの時間を費やす場合もある。すなわち、画像処理装置等の機能を実行させた後に表示されるログの内容について、ユーザーが着目する項目を容易に見つけることができないおそれがある。
【０００７】
この発明の目的は、表示されるログの内容について、ユーザーが着目する項目を容易に見つけることができるログ表示システムを提供することである。
【０００８】
この発明の他の目的は、表示されるログの内容について、ユーザーが着目する項目を容易に見つけることができる表示装置を提供することである。
【０００９】
この発明のさらに他の目的は、表示されるログの内容について、ユーザーが着目する項目を容易に見つけることができる画像処理装置を提供することである。
【課題を解決するための手段】
【００１０】
この発明に係るログ表示システムは、所定の装置にて実行される機能のログを表示する。ログ表示システムは、所定の装置から取得した複数の項目から構成されるログを表示するログ表示手段と、複数の項目の中からユーザーの着目する項目を設定させる設定手段と、設定手段により設定された項目を、設定手段により設定されていない項目に対して際立たせるようログ表示手段を制御する制御手段とを備える。
【００１１】
このようなログ表示システムによると、設定手段により設定されたユーザーの着目する項目を、設定手段により設定されていない項目に対して際立たせるようログ表示手段を制御するため、ログが表示された際に、ユーザーの着目する項目をユーザー自身が識別しやすくなる。したがって、表示されるログの内容について、ユーザーが着目する項目を容易に見つけることができる。
【００１２】
この発明の他の局面においては、ログ表示装置は、所定の装置にて実行される機能のログを表示する。ログ表示装置は、所定の装置からログを取得する取得手段と、所定の装置から取得した複数の項目から構成されるログを表示するログ表示手段と、複数の項目の中からユーザーの着目する項目を設定させる設定手段と、設定手段により設定された項目を、設定手段により設定されていない項目に対して際立たせるようログ表示手段を制御する制御手段とを備える。
【００１３】
このようなログ表示装置によれば、表示されるログの内容について、ユーザーが着目する項目を容易に見つけることができる。
【００１４】
この発明のさらに他の局面においては、画像処理装置は、画像処理に関するログを取得可能な画像処理装置であって、複数の項目から構成されるログを表示するログ表示手段と、複数の項目の中からユーザーの着目する項目を設定させる設定手段と、設定手段により設定された項目を、設定手段により設定されていない項目に対して際立たせるようログ表示手段を制御する制御手段とを備える。
【００１５】
このような画像処理装置によれば、表示されるログの内容について、ユーザーが着目する項目を容易に見つけることができる。
【発明の効果】
【００１６】
このようなログ表示システムによると、設定手段により設定されたユーザーの着目する項目を、設定手段により設定されていない項目に対して際立たせるようログ表示手段を制御するため、ログが表示された際に、ユーザーの着目する項目をユーザー自身が識別しやすくなる。したがって、表示されるログの内容について、ユーザーが着目する項目を容易に見つけることができる。
【００１７】
また、このようなログ表示装置および画像処理装置によれば、表示されるログの内容について、ユーザーが着目する項目を容易に見つけることができる。
【図面の簡単な説明】
【００１８】
【図１】この発明の一実施形態に係るログ表示システムに備えられる画像処理装置をデジタル複合機に適用した場合のデジタル複合機の外観を示す概略斜視図である。
【図２】この発明の一実施形態に係るログ表示システムに備えられる画像処理装置をデジタル複合機に適用した場合のデジタル複合機の構成を示すブロック図である。
【図３】操作部の概略的な構成を示す外観図である。
【図４】この発明の一実施形態に係るログ表示システムを用いてログを表示する場合の処理の流れのうち、デジタル複合機側での処理の内容を示すフローチャートである。
【図５】表示画面に表示された表示形成オプション画面の一例を示す図である。
【図６】「Ｃｏｐｙ」を表示するコピー機能選択キーと「Ｓｔａｒｔ」を表示するスタートキーとを同時に押下された場合の操作部を示す図である。
【図７】「Ｃｏｐｙ」を表示するコピー機能選択キーと「Ｓｔｏｐ」を表示するストップキーとを同時に押下された場合の操作部を示す図である。
【図８】この発明の一実施形態に係るログ表示システムを用いてログを表示する場合の処理の流れのうち、コンピューター側での処理の内容を示すフローチャートである。
【図９】「Ｅｒｒｏｒ」の文字を含む項目が先頭である場合のログ表示装置に表示されたログの一例を示す図である。
【図１０】表示画面に表示された表示形成オプション画面の一例を示す。
【図１１】「Ｐｒｉｎｔ」の文字を含む項目が先頭である場合のログ表示装置に表示されたログの一例を示す図である。
【図１２】「Ｓｃａｎ」の文字を含む項目が先頭である場合のログ表示装置に表示されたログの一例を示す図である。
【発明を実施するための形態】
【００１９】
以下、この発明の実施の形態を説明する。まず、この発明の一実施形態に係るログ表示システムに備えられる画像処理装置の構成について説明する。図１は、この発明の一実施形態に係るログ表示システムに備えられる画像処理装置をデジタル複合機に適用した場合のデジタル複合機の外観を示す概略斜視図である。図２は、この発明の一実施形態に係るログ表示システムに備えられる画像処理装置をデジタル複合機に適用した場合のデジタル複合機の構成を示すブロック図である。
【００２０】
図１および図２を参照して、画像処理装置としてのデジタル複合機１１は、デジタル複合機１１全体の制御を行う制御部１２と、デジタル複合機１１側から発信する情報やユーザーの入力内容を表示する表示画面２１、および押下により実行する機能の設定等を行うハードキー２８を含み、印刷部数や階調性等の画像形成の条件や電源のオンオフを入力させる操作部１３と、セットされた原稿を自動的に読み取り部へ搬送するＡＤＦ（Ａｕｔｏ  Ｄｏｃｕｍｅｎｔ  Ｆｅｅｄｅｒ）２２を含み、原稿の画像を読み取る画像読み取り部１４と、トナーを用いて現像を行う現像器２３を含み、読み取った画像やネットワーク２５を介して送信された画像データを基に画像を形成する画像形成部１５と、送信された画像データや入力された画像形成条件等の格納を行うハードディスク１６と、公衆回線２４に接続されており、ファクシミリ送信やファクシミリ受信を行うファクシミリ通信部１７と、ネットワーク２５と接続するためのネットワークインターフェース部１８とを備える。なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）や用紙を搬送する用紙搬送部等を備えるが、これらについては、図示および説明を省略する。また、図２中の矢印は、制御信号や制御、画像に関するデータの流れを示している。なお、デジタル複合機１１は、実行される機能のログが後述するログ表示装置によって表示される所定の装置である。
【００２１】
デジタル複合機１１は、画像読み取り部１４により読み取られた原稿を用いて画像形成部１５において画像を形成することにより、複写機として作動する。また、デジタル複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。また、デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、デジタル複合機１１は、画像処理に関し、複写機能、プリンター機能、ファクシミリ機能等、複数の機能を有する。さらに、各機能に対しても、詳細に設定可能な機能を有する。
【００２２】
デジタル複合機１１を含むログ表示システム２７は、デジタル複合機１０において実行されたコピー等の所定の機能の動作時に発生したエラー（Ｅｒｒｏｒ）や履歴等を記録し、これらの記録をログとして表示するシステムである。ログ表示システム２７は、所定の装置としてのデジタル複合機１１と、複数のコンピューター２６ａ、２６ｂ、２６ｃとを備える。具体的には、ログ表示システム２７は、上記した構成のデジタル複合機１１と、ネットワーク２５を介してデジタル複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、デジタル複合機１１に対して、ネットワーク２５を介して印刷要求を行って印刷をすることができる。各コンピューター２６ａ〜２６ｃにはそれぞれ、表示画面としてのディスプレイ２９ａ、２９ｂ、２９ｃが接続されている。ディスプレイ２９ａが接続されたコンピューター２６ａ、ディスプレイ２９ｂが接続されたコンピューター２６ｂ、ディスプレイ２９ｃが接続されたコンピューター２６ｃはそれぞれ、ログ表示装置１９ａ、１９ｂ、１９ｃとして作動する。すなわち、ログ表示装置１９ａは、コンピューター２６ａとディスプレイ２９ａとを含む。ログ表示装置１９ｂは、コンピューター２６ｂとディスプレイ２９ｂとを含む。ログ表示装置１９ｃは、コンピューター２６ｃとディスプレイ２９ｃとを含む。各ログ表示装置１９ａ〜１９ｃは、ネットワーク２５を介して取得したデジタル複合機１１で実行された機能のログを各ディスプレイ２９ａ〜２９ｃ上に表示可能である。すなわち、各ログ表示装置１９ａ〜１９ｃは、ログ表示手段として作動する。なお、各コンピューター２６ａ〜２６ｃにはディスプレイ２９ａ〜２９ｃの他に、キーボードおよびマウス（いずれも図示せず）がそれぞれ接続されている。デジタル複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００２３】
次に、上記した操作部１３の構成について、さらに詳細に説明する。図３は、操作部１３の概略的な構成を示す外観図である。図１〜図３を参照して、操作部１３は、上記した表示画面２１と、印刷部数等を入力させるための０〜９までの数字、および「＊」や「＃」の記号を入力させるテンキー３１と、「Ｓｔａｒｔ」の表記がなされており、印刷の開始やファクシミリ送信の開始を指示させるスタートキー３２と、「Ｓｔｏｐ」の表記がなされており、印刷の中止や処理の中断を指示させるストップキー３３とを含む。表示画面２１は、液晶のタッチパネル機能を有しており、ユーザーの指での所定の箇所の押圧等により、表示画面２１からも画像形成条件等を入力させると共に、機能の選択等を行うことができる。また、操作部１３は、「Ｃｏｐｙ」の表記がなされており、デジタル複合機１１の有するコピー機能の選択を指示させるコピー機能選択キー３４、「Ｓｅｎｄ」の表記がなされており、デジタル複合機１１の有する画像読み取り部１４での読み取り機能の選択を指示させる読み取り機能選択キー３５、および「Ｆａｃｓｉｍｉｌｅ」の表記がなされており、デジタル複合機１１の有するファクシミリ機能の選択を指示させるファクシミリ機能選択キー３６を備える機能選択キー３７を含む。表示画面２１によるタッチパネル機能を除き、上記したこれらテンキー３１、スタートキー３２、ストップキー３３、機能選択キー３７は、ユーザーによるキーの押下により設定等がデジタル複合機１１に入力されるハードキー２８を構成するものである。
【００２４】
次に、この発明の一実施形態に係るログ表示システム２７を用いてログを表示する場合について、説明する。図４は、この発明の一実施形態に係るログ表示システム２７を用いてログを表示する場合の処理の流れのうち、デジタル複合機１１側での処理の内容を示すフローチャートである。
【００２５】
図４等を参照して、デジタル複合機１１は、ログを表示させるための画面を形成する表示形成オプション画面を操作部１３の表示画面２１に表示する（図４において、ステップＳ１１、以下、「ステップ」を省略する）。
【００２６】
図５は、表示画面２１に表示された表示形成オプション画面の一例を示す図である。図５を参照して、表示画面２１には、「ログを取得したい機能」という表示４１ａと、「Ｃｏｐｙ」の表記がなされており、ログを取得したい機能としてコピー機能を選択させる選択キー４２ａと、「Ｓｅｎｄ」の表記がなされており、ログを取得したい機能として読み取り開始機能を選択させる選択キー４２ｂと、「Ｆａｃｓｉｍｉｌｅ」の表記がなされており、ログを取得したい機能としてファクシミリ機能を選択させる選択キー４２ｃと、「検索キーワードの先頭表示設定」という表示４１ｂと、「Ｏｆｆ」の表記がなされており、検索キーワードの先頭表示設定をオフにさせる選択キー４３ａと、「Ｏｎ」の表記がなされており、検索キーワードの先頭表示設定をオンにさせる選択キー４３ｂと、検索キーワードの検索数を入力させる検索数入力部４３ｃと、「ログの出力先（メールアドレス）」という表示４１ｃと、「ログの出力先（メールアドレス）」を入力させる出力先入力部４４ａと、「設定」の表記がなされており、入力されたログの出力先を決定させる出力先設定キー４４ｂと、「戻す」の表記がなされており、入力されたログの出力先の入力を戻す戻しキー４４ｃとが表示されている。なお、図５等においては、押下された選択キー等について、ハッチングにより示している。この場合、ログを取得したい機能としてコピー機能（Ｃｏｐｙ）が設定され、検索キーワードの先頭表示設定としてオフ（Ｏｆｆ）が設定され、ログの出力先として、コンピューター２６ａのメールアドレスが設定されている。また、予めの設定事項として、ログを構成する複数の項目の中から、「Ｅｒｒｏｒ」の文字を含む項目があれば、これら「Ｅｒｒｏｒ」の文字を含む項目を、ログを表示する際の先頭に表示するよう設定されている。すなわち、ログを構成する項目が発生した時系列に関わらず、「Ｅｒｒｏｒ」の文字を含む項目を、「Ｅｒｒｏｒ」の文字を含まない項目よりも先頭に表示するよう設定されている。ここで、操作部１３等は、ログを表示する表示先を入力させるログ表示先入力手段、および設定手段として作動する。
【００２７】
図１〜図５を参照して、タッチパネル機能を有する操作部１３の表示画面２１から、各項目の設定および入力を受け付ける。その後、デジタル複合機１１は、ログを取得したいいずれの機能が選択されたか否かを判断する（Ｓ１２）。この場合、選択キー４２ａが押下されているため、「コピー」機能が選択されたと判断する。「コピー」機能が選択されたと判断した後、検索キーワードの先頭表示設定がオフを選択されたか否かを判断する（Ｓ１３）。この場合、選択キー４３ａが押下されているため、オフが選択されたと判断する（Ｓ１３において、ＹＥＳ）。その後、ログの出力先が入力されたか否かを判断する（Ｓ１５）。この場合、ログの出力先としてコンピューター２６ａのメールソフトで設定されるメールアドレスが入力され、その後、出力先設定キー４４ｂが押下されているため、ログの出力先が入力されたと判断する（Ｓ１５において、ＹＥＳ）。ここでは、コンピューター２６ａのメールソフトで設定されるメールアドレスが入力されたとする。
【００２８】
設定が終了した後（Ｓ１６）、表示画面２１に機能画面を表示する（Ｓ１７）。この機能画面については、通常のコピーを行う際に表示される解像度やコピー枚数を入力させる画面である。機能画面によってコピー条件が入力された後、ログの取得の開始を意味する選択キー等の押下を検知する。この場合、「Ｃｏｐｙ」を表示するコピー機能選択キー３４と「Ｓｔａｒｔ」を表示するスタートキー３２との同時の押下を検知することにより、ログの取得の開始を検知する（Ｓ１８）。図６は、「Ｃｏｐｙ」を表示するコピー機能選択キー３４と「Ｓｔａｒｔ」を表示するスタートキー３２とを同時に押下された場合の操作部１３を示す図である。なお、図６および後述する図７においては、理解の容易の観点から、操作部１３における表示画面２１の図示を省略している。
【００２９】
その後、デジタル複合機１１は、機能画面で入力された条件等を基にコピーを実行する（Ｓ１９）。コピーを終了した後、ログの取得の終了を意味する選択キー等の押下を検知する。この場合、「Ｃｏｐｙ」を表示するコピー機能選択キー３４と「Ｓｔｏｐ」を表示するストップキー３３との同時の押下を検知することにより、ログの取得の終了を検知する（Ｓ２０）。図７は、「Ｃｏｐｙ」を表示するコピー機能選択キー３４と「Ｓｔｏｐ」を表示するストップキー３３とを同時に押下された場合の操作部１３を示す図である。
【００３０】
そして、ログの取得結果をコンピューター２６ａに送信する（Ｓ２１）。この場合、出力先入力部４４ａに入力されたコンピューター２６ａのメールアドレスに対して電子メールを送信する。
【００３１】
図８は、この発明の一実施形態に係るログ表示システム２７を用いてログを表示する場合の処理の流れのうち、コンピューター２６ａ側での処理の内容を示すフローチャートである。図８を参照して、コンピューター２６ａは、デジタル複合機１１から送信されたログのメールを受信する。受信したメールから、ログが選択される（Ｓ３１）。この場合、メールには、上記した表示形成オプション画面で各種選択された設定情報も送信される。ここで、コンピューター２６ａ等は、ログを取得する取得手段として作動する。
【００３２】
次に、コンピューター２６ａは、選択されたログの項目の中から、「Ｅｒｒｏｒ」の文字が含まれている項目があるか否かを判断する（Ｓ３２）。「Ｅｒｒｏｒ」の文字が含まれている項目があると判断すれば（Ｓ３２において、ＹＥＳ）、「Ｅｒｒｏｒ」の文字が含まれている項目が表示の先頭となるようログの表示を構成する（Ｓ３３）。このようにして、ログを表示する際の項目の順序を並び替える。
【００３３】
次に、検索キーワードの先頭表示設定がオフを選択されていたか否かを判断する（Ｓ３４）。オフが選択されていたと判断した場合（Ｓ３４において、ＹＥＳ）、検索キーワードに関連する表示の並び替えを行わず、「Ｅｒｒｏｒ」の文字が含まれている項目が表示の先頭となるよう構成されたログを表示する。すなわち、並び替えた項目で構成されたログをコンピューター２６ａに接続されたディスプレイ２９ａに表示する（Ｓ３５）。
【００３４】
図９は、この場合のログ表示装置１９ａに表示されたログの一例を示す図である。図９を参照して、ログ表示装置１９ａに含まれ、コンピューター２６ａに接続されたディスプレイ２９ａ上には、ログ５１ａを表示するウィンドウ５２ａ内に、「（テキストエディタ）ＭＦＰ  Ｃｏｐｙ  Ｌｏｇ．ｌｏｇ」との表示５３ａと、クリックにより各種設定を受け付けるツールバー５４ａと、（ＭＦＰ  Ｃｏｐｙ  Ｌｏｇ）というログのタイトルの表示５５ａと、（Ｃｏｐｙ）Ｅｒｒｏｒの項目の表示５６ａと、（Ｃｏｐｙ）Ｅｒｒｏｒの項目の内容を示す本文の表示５６ｂと、（Ｃｏｐｙ）Ｐｒｉｎｔの項目の表示５７ａと、（Ｃｏｐｙ）Ｐｒｉｎｔの項目の内容を示す本文の表示５７ｂと、（Ｃｏｐｙ）Ｓｃａｎの項目の表示５８ａと、（Ｃｏｐｙ）Ｓｃａｎの項目の内容を示す本文の表示５８ｂとが表示される。この場合、（Ｃｏｐｙ）Ｅｒｒｏｒの項目の表示５６ａ、（Ｃｏｐｙ）Ｐｒｉｎｔの項目の表示５７ａ、（Ｃｏｐｙ）Ｓｃａｎの項目の表示５８ａの順に上から表示される。すなわち、「Ｅｒｒｏｒ」の文字が含まれている項目が、「Ｅｒｒｏｒ」の文字が含まれていない項目よりも先頭に表示されており、「Ｅｒｒｏｒ」の文字が含まれている項目が、「Ｅｒｒｏｒ」の文字が含まれていない項目よりも際立たせて表示されている。このようにして、ログ５１ａが表示される。
【００３５】
次に、検索キーワードの先頭表示設定がオンを選択された場合について説明する。再び図４等を参照して、表示形成オプション画面を表示（Ｓ１１）した後、ログを取得したい機能が選択される（Ｓ１２）。そして、検索キーワードの先頭表示設定がオンを選択された場合（Ｓ１３において、ＮＯ）、キーワードの検索の回数が入力されたか否かを判断する（Ｓ１４）。回数が入力されたと判断すると（Ｓ１４において、ＹＥＳ）、その後、ログの入力先が入力されたことを判断する。その後、Ｓ１６〜Ｓ２１については、上記と同様である。なお、図１０に、この場合の表示画面２１に表示された表示形成オプション画面の一例を示す。この場合、検索キーワードの検索の回数として、「１０」という数値が、検索数入力部４３ｃに入力されている。
【００３６】
次に、再び図８を参照して、受信したメールから、ログが選択され（Ｓ３１）、「Ｅｒｒｏｒ」の文字が含まれている項目があると判断すれば（Ｓ３２において、ＹＥＳ）、「Ｅｒｒｏｒ」の文字が含まれている項目が表示の先頭となるようログの表示を構成する（Ｓ３３）。
【００３７】
次に、検索キーワードの先頭表示設定がオンを選択されていれば（Ｓ３４において、ＮＯ）、検索キーワードの検索の回数が設定値以上か否かを判断する（Ｓ３６）。ここで、ある文字を含む項目をユーザーが着目する項目としてツールバー５４ａ等による検索を利用して検索する場合、ユーザーが検索キーワードを入力して、複数回の検索を行う。この場合、「Ｐｒｉｎｔ」という文字を検索キーワードとして１０個以上検索されたか否かを判断する。ここで、コンピューター２６ａ等は、キーワード入力手段、検索手段、キーワード数カウント手段として作動する。
【００３８】
「Ｐｒｉｎｔ」の文字が１０回以上検索されていると判断すれば（Ｓ３６において、ＹＥＳ）、検索されたキーワードを含む項目が先頭となるようにログを構成する（Ｓ３７）。この場合、テキストエディタを再起動した後に、このログをディスプレイ２９ａに表示する（Ｓ３５）。すなわち、検索された検索キーワードである「Ｐｒｉｎｔ」という文字を含む項目を「Ｅｒｒｏｒ」という文字を含む項目よりも先に表示されるよう並び替え、新たにディスプレイ２９ａに表示する。
【００３９】
図１１は、この場合のログ表示装置１９ａに表示されたログの一例を示す図である。図１１を参照して、ログ表示装置１９ａに含まれ、コンピューター２６ａに接続されたディスプレイ２９ａ上には、ログ５１ｂを表示するウィンドウ５２ｂ内に、「（テキストエディタ）ＭＦＰ  Ｃｏｐｙ  Ｌｏｇ．ｌｏｇ」との表示５３ｂと、クリックにより各種設定を受け付けるツールバー５４ｂと、（ＭＦＰ  Ｃｏｐｙ  Ｌｏｇ）というログのタイトルの表示５５ｂと、（Ｃｏｐｙ）Ｐｒｉｎｔの項目の表示５６ｃと、（Ｃｏｐｙ）Ｐｒｉｎｔの項目の内容を示す本文の表示５６ｄと、（Ｃｏｐｙ）Ｅｒｒｏｒの項目の表示５７ｃと、（Ｃｏｐｙ）Ｅｒｒｏｒの項目の内容を示す本文の表示５７ｄと、（Ｃｏｐｙ）Ｓｃａｎの項目の表示５８ｃと、（Ｃｏｐｙ）Ｓｃａｎの項目の内容を示す本文の表示５８ｄとが表示される。この場合、（Ｃｏｐｙ）Ｐｒｉｎｔの項目の表示５６ｃ、（Ｃｏｐｙ）Ｅｒｒｏｒの項目の表示５７ｃ、（Ｃｏｐｙ）Ｓｃａｎの項目の表示５８ｃの順に上から表示される。すなわち、「Ｐｒｉｎｔ」の文字が含まれている項目が、「Ｐｒｉｎｔ」の文字が含まれていない項目よりも先頭に表示されており、「Ｐｒｉｎｔ」の文字が含まれている項目が、「Ｐｒｉｎｔ」の文字が含まれていない項目よりも際立たせて表示されている。このようにして、ログ５１ｂが表示される。
【００４０】
次に、二つ以上の検索キーワードで検索された場合について説明する。検索キーワードとして「Ｓｃａｎ」の文字を含む項目が検索された回数が、検索キーワードとして「Ｐｒｉｎｔ」の文字を含む項目が検索された回数よりも多くなった場合、検索回数が多いキーワードを含む項目を先頭に表示する。
【００４１】
図１２は、この場合のログ表示装置１９ａに表示されたログの一例を示す図である。図１１を参照して、ログ表示装置１９ａに含まれ、コンピューター２６ａに接続されたディスプレイ２９ａ上には、ログ５１ｃを表示するウィンドウ５２ｃ内に、「（テキストエディタ）ＭＦＰ  Ｃｏｐｙ  Ｌｏｇ．ｌｏｇ」との表示５３ｃと、クリックにより各種設定を受け付けるツールバー５４ｃと、（ＭＦＰ  Ｃｏｐｙ  Ｌｏｇ）というログのタイトルの表示５５ｃと、（Ｃｏｐｙ）Ｓｃａｎの項目の表示５６ｅと、（Ｃｏｐｙ）Ｓｃａｎの項目の内容を示す本文の表示５６ｆと、（Ｃｏｐｙ）Ｐｒｉｎｔの項目の表示５７ｅと、（Ｃｏｐｙ）Ｐｒｉｎｔの項目の内容を示す本文の表示５７ｆと、（Ｃｏｐｙ）Ｅｒｒｏｒの項目の表示５８ｅと、（Ｃｏｐｙ）Ｅｒｒｏｒの項目の内容を示す本文の表示５８ｆとが表示される。この場合、（Ｃｏｐｙ）Ｓｃａｎの項目の表示５６ｅ、（Ｃｏｐｙ）Ｐｒｉｎｔの項目の表示５７ｅ、（Ｃｏｐｙ）Ｅｒｒｏｒの項目の表示５８ｅの順に上から表示される。すなわち、「Ｓｃａｎ」の文字が含まれている項目が、「Ｓｃａｎ」の文字が含まれていない項目よりも先頭に表示されており、「Ｓｃａｎ」の文字が含まれている項目が、「Ｓｃａｎ」の文字が含まれていない項目よりも際立たせて表示されている。このようにして、ログ５１ｃが表示される。
【００４２】
このような構成によれば、設定されたユーザーの着目する項目を、設定されていない項目に対して際立たせるよう表示手段を制御するため、ログが表示された際に、ユーザーの着目する項目をユーザー自身が識別しやすくなる。したがって、表示されるログの内容について、ユーザーが着目する項目を容易に見つけることができる。
【００４３】
この場合、際立たせる表示方法としてログの先頭に表示するよう構成している。すなわち、設定手段により設定された項目を、設定手段により設定されていない項目よりも表示の順序が先になるよう表示するよう表示手段を制御しているため、表示されたログの下の方の領域を見ることなく、ユーザーは容易に着目する項目を見つけることができる。
【００４４】
また、この場合、カウントしたキーワードの数が所定の数以上であれば、キーワードを含む項目をユーザーの着目する項目として設定するため、ユーザーの着目する項目をより容易に見つけやすくすることができる。
【００４５】
さらに、カウントしたキーワードの数が多い順から先に表示されるよう制御するため、ユーザーの着目する項目をより容易に見つけやすくすることができる。
【００４６】
また、ログを表示する表示先を入力させるログ表示先入力手段を含むため、ユーザーの望む任意のコンピューターのディスプレイ等にログを表示させることができる。
【００４７】
なお、上記の実施の形態においては、際立たせる表示方法として、設定された項目を先頭に表示することとしたが、これに限らず、設定された項目を表示する場合、表示する文字の色を、例えば、赤色に変える等、変更して、際立たせるようにしてもよい。こうすることにより、色彩の変更によって、際立たせることができ、よりユーザーが着目する項目を容易に見つけることができる。また、文字の大きさや、文字のフォント、文字の修飾を変更することにしてもよい。すなわち、文字の色、文字の大きさ、文字のフォント、および文字の修飾のうちの少なくともいずれかを、設定手段により設定されていない項目に対して変更して、設定手段により設定された項目を表示するよう制御するようにしてもよい。
【００４８】
また、上記の実施の形態においては、デジタル複合機により実行されるコピー機能について、ログを取得し、表示することとしたが、これに限らず、コピー機能以外の機能のログについても適用可能である。また、他の装置により実行される機能について、ログを取得し、表示することとしてもよい。すなわち、この発明に係るログ表示装置は、ログ表示装置は、所定の装置にて実行される機能のログを表示する。ログ表示装置は、所定の装置からログを取得する取得手段と、所定の装置から取得した複数の項目から構成されるログを表示するログ表示手段と、複数の項目の中からユーザーの着目する項目を設定させる設定手段と、設定手段により設定された項目を、設定手段により設定されていない項目に対して際立たせるようログ表示手段を制御する制御手段とを備えるよう構成してもよい。
【００４９】
また、上記の実施の形態においては、ログ表示装置としてディスプレイが接続されたコンピューターを用いることとしたが、これに限らず、デジタル複合機に接続されたディスプレイや、操作部における表示画面等にログを表示することとしてもよい。すなわち、この発明に係る画像処理装置は、画像処理に関するログを取得可能な画像処理装置であって、複数の項目から構成されるログを表示するログ表示手段と、複数の項目の中からユーザーの着目する項目を設定させる設定手段と、設定手段により設定された項目を、設定手段により設定されていない項目に対して際立たせるようログ表示手段を制御する制御手段とを備えるよう構成してもよい。
【００５０】
なお、上記の実施の形態においては、コンピューターのディスプレイ上にログを表示することとしたが、これに限らず、用紙や他の媒体に印刷して出力するようにしてもよい。
【００５１】
また、ログの表示先については、いずれかのログ表示装置に固定していてもよく、他の媒体、例えば、ＵＳＢ（Ｕｎｉｖｅｒｓａｌ  Ｓｅｒｉａｌ  Ｂｕｓ）メモリ等に出力する形態であっても構わない。
【００５２】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５３】
この発明に係るログ表示システム、ログ表示装置、および画像処理装置は、ユーザーが着目する項目を容易に確認したい場合に、特に有効に利用される。
【符号の説明】
【００５４】
１１  デジタル複合機、１２  制御部、１３  操作部、１４  画像読み取り部、１５  画像形成部、１６  ハードディスク、１７  ファクシミリ通信部、１８  ネットワークインターフェース部、１９ａ，１９ｂ，１９ｃ  ログ表示装置、２１  表示画面、２２  ＡＤＦ、２３  現像器、２４  公衆回線、２５  ネットワーク、２６ａ，２６ｂ，２６ｃ  コンピューター、２７  ログ表示システム、２８  ハードキー、２９ａ，２９ｂ，２９ｃ  ディスプレイ、３１  テンキー、３２  スタートキー、３３  ストップキー、３４，３５，３６，３７  機能選択キー、４１ａ，４１ｂ，４１ｃ，５３ａ，５３ｂ，５３ｃ，５５ａ，５５ｂ，５５ｃ，５６ａ，５６ｂ，５６ｃ，５６ｄ，５６ｅ，５６ｆ，５７ａ，５７ｂ，５７ｃ，５７ｄ，５７ｅ，５７ｆ，５８ａ，５８ｂ，５８ｃ，５８ｄ，５８ｅ，５８ｆ  表示、４２ａ，４２ｂ，４２ｃ，４３ａ，４３ｂ  選択キー、４３ｃ  検索数入力部、４４ａ  出力先入力部、４４ｂ  出力先設定キー、４４ｃ  戻しキー、５１ａ，５１ｂ，５１ｃ  ログ、５２ａ，５２ｂ，５２ｃ  ウィンドウ、５４ａ，５４ｂ，５４ｃ  ツールバー。
【図１】
2016071631.tif 000003
【図２】
2016071631.tif 000004
【図３】
2016071631.tif 000005
【図４】
2016071631.tif 000006
【図５】
2016071631.tif 000007
【図６】
2016071631.tif 000008
【図７】
2016071631.tif 000009
【図８】
2016071631.tif 000010
【図９】
2016071631.tif 000011
【図１０】
2016071631.tif 000012
【図１１】
2016071631.tif 000013
【図１２】
2016071631.tif 000014